(57)【特許請求の範囲】
【請求項１】
空隙をあけて隣接する２つの床部分の相互に対向する各対向壁部に、平行かつ略水平にそれぞれ固定される支持体と、
一方の支持体と平行に延び、一方の支持体における前記他方の支持体寄りの端部に固定される取付補助材と、
他方の支持体と平行に延び、他方の支持体が設けられる対向壁部に固定される案内レールと、
両端部間の中央部で複数のリンク部材が交差するパンタグラフ状のリンク機構を構成し、一端部が前記取付補助材に略鉛直な軸線まわりに回動自在に連結され、他端部が前記案内レールに移動自在に支持される複数の中央維持手段と、
両端部が各支持体に支持されかつ中央部が各中央維持手段に連結される格子状構造体を有するカバー体と、
カバー体および各中央維持手段に挿脱自在に装着され、カバー体と各中央維持手段とをピン結合する連結ピンと、
案内レールに移動自在に装着され、各中央維持手段の他端部が略鉛直な軸線まわりに回動自在に連結される摺動部材とを含み、
各リンク部材の交差部には、前記連結ピンの軸部が挿通する挿通孔が形成され、
各リンク部材の交差部上には、複数の中央維持手段間にわたって延び、かつ前記挿通孔が形成される位置に一致するように、前記通し部材の長手方向に延びる長孔が形成される通し部材が設けられ、
前記通し部材には、前記連結ピンの軸部が挿通する軸孔が形成される格子状構造体が固定され、
前記連結ピンは、その軸部が、前記格子状構造体の軸孔、前記通し部材の長孔および前記各リンク部材の挿通孔を挿通した状態で装着されて、前記カバーと各中央維持手段とが連結されることを特徴とする床用伸縮継手装置。
【請求項２】
前記カバー体には、点検用開口部が設けられ、この点検用開口部には、蓋体が着脱可能に設けられることを特徴とする請求項１記載の床用伸縮継手装置。
【発明の詳細な説明】
【０００１】
【発明の属する技術分野】
本発明は、隣接する２つの建物の各床部分の間に目地などとして存在する空隙を塞ぎ、かつ地震などに起因する各床部分の相対変位を許容することができる床用伸縮継手装置に関する。
【０００２】
【従来の技術】
集合住宅などのコンクリート構造の建物が複数、隣接して構築される場合、各建物間には目地として空隙が介在されており、この空隙は、各建物の床部分においては、各建物間の安全でかつ円滑な通行を確保するため、床用伸縮継手装置によって塞がれている。この床用伸縮継手装置は、急激な地震などによる各建物間の相対変位を許容して、前記空隙を塞いだ状態に維持することができるように構成されている。
【０００３】
このような床用伸縮継手装置の従来の技術は、特開２０００−３２８６７４号公報に床用目地装置として示されている。この床用目地装置は、空隙である目地部を介して建てられた左右の建物の各床部分の前記目地部寄りの部分に凹部がそれぞれ形成され、各凹部に複数本の皿ビスによって支持体である固定金具が固定され、各固定金具によってカバー体である目地プレートの両端部が支持される。目地プレートの中央底面には、所定間隔で複数の支持杆が固定的または回動可能に設けられ、目地プレートの下方には、各支持杆が設けられる位置に対応して、中央維持手段である中央維持装置が設けられる。
【０００４】
前記中央維持装置は、前記支持杆を上下方向に移動可能に枢支する中央枢支部を有し、四角枠形状が２つ形成されるパンタグラフ形状の伸縮リンクと、伸縮リンクの両端部の枢支ピンにそれぞれ取付けられた上下方向に回動可能なヒンジ部材とを有する。各ヒンジ部材は、各床部分に設けられる各固定金具にそれぞれ連結され、これによって前記伸縮リンクが上下方向に傾斜することが可能とされる。また、各ヒンジ部材には、伸縮リンクの両端部の枢支ピンが連結されるので、伸縮リンクは、目地部の延在方向に沿う水平方向に変位することが可能とされる。
【０００５】
このような中央維持装置の中央枢支部には、目地プレートの中央底面に設けられる連結ピンである支持杆が上下方向に移動自在に挿通されるので、目地プレートの上下方向の変位は拘束されず、地震などによって各建物の各床部が相互に近接および離反する方向に変位しても、各床部の近接時においては、目地プレートが上方へ移動しながら各固定金具上に乗り上げて、前記近接する方向の変位を許容することができる。また、各建物の離反時においては、目地プレートが前記各固定金具上に乗り上げた状態から下方へ移動し、または各固定金具に支持されたまま各固定金具上を摺動して、前記離反する方向の変位を許容する。
【０００６】
【発明が解決しようとする課題】
上記のように構成される従来の床用目地装置では、前記中央維持装置の伸縮リンクの両端部が枢支ピンによって各ヒンジ部材にそれぞれ連結され、これらのヒンジ部材は各床部分に固定される固定金具にそれぞれ連結されるので、地震などが発生したときには、前記２つの建物の各床部分を正面側から左右に見て、各床部分が近接および離反する左右方向Ｘ、各床部分の手前および奥行き方向に相当する前後方向Ｙ、および高さ方向に相当する上下方向Ｚの３方向成分の変位が許容され、目地プレートは中央維持装置によって各床部分間の目地部の中央に維持された状態で、左右方向Ｘ、前後方向Ｙ、および上下方向Ｚの変位に対して目地プレートが各床部分および各固定金具などに干渉することが防止されるが、中央維持装置の伸縮リンクの両端部は、各枢支ピンによって各ヒンジ部材にそれぞれ連結されるので、各床部分の前後方向Ｙに相対変位に対しても、伸縮リンクの両端部は各ヒンジ部材および各固定金具に追従して変位し、したがって各床部分に追従して前後方向Ｙに変位する。
【０００７】
このように伸縮リンクの前後方向Ｙの変位は、伸縮リンクの伸縮動作を伴い、各床部分の前後方向Ｙの変位は、伸縮リンクの最大限に伸長した長さによって制限され、この最大限に伸長した長さを超えると伸縮リンクが破壊してしまう。このため、前後方向Ｙの各床部分間の大きな変位を許容することができないという問題がある。
【０００８】
また、前記目地プレートの中央底面には支持杆が設けられるので、目地プレートを伸縮リンクに取付けるにあたって、目地プレートの中央底面に支持杆を取付けた後、その支持杆を伸縮リンクの中央枢支部に挿入するか、あるいは支持杆だけを伸縮リンクの中央枢支部に装着した後、その装着状態を維持しながら支持杆に目地プレートを取付けなければならず、組立て時の作業性が悪く、施工に手間を要するという問題がある。
【０００９】
本発明の目的は、組立て作業を容易にして施工性を向上し、各床部分の前後方向の大きな相対変位を許容することができる床用伸縮継手装置を提供することである。
【００１０】
【課題を解決するための手段】
請求項１記載の本発明は、空隙をあけて隣接する２つの床部分の相互に対向する各対向壁部に、平行かつ略水平にそれぞれ固定される支持体と、
一方の支持体と平行に延び、一方の支持体における前記他方の支持体寄りの端部に固定される取付補助材と、
他方の支持体と平行に延び、他方の支持体が設けられる対向壁部に固定される案内レールと、
両端部間の中央部で複数のリンク部材が交差するパンタグラフ状のリンク機構を構成し、一端部が前記取付補助材に略鉛直な軸線まわりに回動自在に連結され、他端部が前記案内レールに移動自在に支持される複数の中央維持手段と、
両端部が各支持体に支持されかつ中央部が各中央維持手段に連結される格子状構造体を有するカバー体と、
カバー体および各中央維持手段に挿脱自在に装着され、カバー体と各中央維持手段とをピン結合する連結ピンと、
案内レールに移動自在に装着され、各中央維持手段の他端部が略鉛直な軸線まわりに回動自在に連結される摺動部材とを含み、
各リンク部材の交差部には、前記連結ピンの軸部が挿通する挿通孔が形成され、
各リンク部材の交差部上には、複数の中央維持手段間にわたって延び、かつ前記挿通孔が形成される位置に一致するように、前記通し部材の長手方向に延びる長孔が形成される通し部材が設けられ、
前記通し部材には、前記連結ピンの軸部が挿通する軸孔が形成される格子状構造体が固定され、
前記連結ピンは、その軸部が、前記格子状構造体の軸孔、前記通し部材の長孔および前記各リンク部材の挿通孔を挿通した状態で装着されて、前記カバーと各中央維持手段とが連結されることを特徴とする床用伸縮継手装置である。
【００１１】
本発明に従えば、各床部分の相互に対向する各対向壁部には、支持体が平行かつ略水平にそれぞれ固定される。一方の支持体の端部には取付補助材が固定され、他方の支持体が設けられる対向壁部には案内レールが固定される。取付補助材には、中央維持手段の一端部が略鉛直な軸線まわりに回動自在に連結され、案内レールには移動自在に摺動部材が装着され、移動部材には中央維持手段の他端部が略鉛直な軸線まわりに回動自在に連結される。中央維持手段には、カバー体が連結ピンによって連結され、このカバー体の両端部は各支持体に支持される。
【００１２】
前記カバー体は、格子状構造体を有し、この格子状構造体の中央部が前記連結ピンによって中央維持手段に連結される。中央維持手段は、中央部で複数のリンク部材が交差するパンタグラフ状のリンク機構を構成するので、各床部分が近接および離反する左右方向の相対変位によって伸縮し、中央部に連結ピンによって連結されるカバー体が各床部分間の空隙の中央に維持される。
【００１３】
中央維持手段の一端部は、一方の支持体に設けられる取付補助材に略鉛直な軸線まわりに回動自在に連結され、カバー体と中央維持手段とが連結ピンによってピン結合され、さらに中央維持手段の他端部が案内レールに支持されるので、各床部分が水平面上で前記左右方向に垂直な前後方向に相対変位しても、中央維持手段はその両端部が離反して伸長し、両端部が近接して縮小する伸縮動作によって、各床部分の前後方向の相対変位に追従する。
【００１４】
しかも、各床部分の前後方向の相対変位が中央維持手段の最大長さを超えても、中央維持装置の他端部が前記案内レールに沿って移動自在であるので、中央維持手段は最大長さまで伸長した状態で、あるいは最大長さと最小長さとの間の過渡的長さの状態で、前記他端部が案内レールに沿って自在に移動し、この自在な移動によって、カバー体を各床部分間の中央に維持して空隙を塞いだままで、他端部に対する案内レールの変位を吸収し、各床部分の前後方向の相対変位を許容することができる。
【００１５】
このような中央維持手段には、上記のように連結ピンによってカバー体が連結されるので、カバー体を各床部分間の中央に維持して空隙を塞ぎ、両端部が各支持体に支持されたまま前後方向に移動して、カバー体の各支持体および各床部分などへの干渉による損傷を防ぎ、円滑に各床部分の前後方向の相対変位を許容することができる。
【００１６】
さらに、前記連結ピンはカバー体および各中央維持手段に挿脱自在に装着されるので、各中央維持手段に格子状構造体を連結するにあたって、連結ピンを格子状構造体の上方から挿入して格子状構造体と中央維持手段とに装着することができ、これによって中央維持手段への格子状構造体の連結作業を容易に行うことが可能となり、施工時の作業性が向上される。
【００１７】
請求項２記載の本発明は、前記カバー体には、点検用開口部が設けられ、この点検用開口部には、蓋体が着脱可能に設けられることを特徴とする。
【００１８】
本発明に従えば、カバー体に点検用開口部が設けられ、この点検用開口部に着脱可能に蓋体が設けられるので、空隙内のごみなど異物の除去および保守点検などを行うために、蓋体を点検用開口部から移動させて点検用開口部を開放し、空隙内に外部から容易に作業者の手および作業具などを挿入して、ごみの取り出し、部品の取り付けおよび取り外しなどの所定の作業を行うことができる。
【００１９】
【発明の実施の形態】
図１は本発明の実施の一形態の床用伸縮継手装置１の中央維持手段１１が設けられる位置における構成を示す鉛直断面図であり、図２は床用伸縮継手装置１の点検用開口部１６が設けられる位置における構成を示す鉛直断面図であり、図３は床用伸縮継手装置１を上方から見た一部を切欠いた平面図であり、図１は図３の切断面線Ｉ−Ｉから見た断面を示し、図２は図３の切断面線ＩＩ−ＩＩから見た断面を示す。なお、２つの建物の各床部分３ａ，３ｂを、図１および図２に示すように正面側から左右に見て、各床部分３ａ，３ｂが近接および離反する方向を左右方向Ｘ、各床部分３ａ，３ｂの手前および奥行きに相当する方向を前後方向Ｙ、および高さ方向を上下方向Ｚとする。以下に、本実施の形態の床用伸縮継手装置１の構成について説明する。
【００２０】
急激な地震および地盤の不等沈下などによる建物同士の左右方向Ｘの変位による相互の干渉を回避するために、隣接する各建物間には目地である空隙２が存在する。この空隙２は、コンクリート構造の各建物の床部分３ａ，３ｂ間においても存在し、各床部分３ａ，３ｂのうち通路および部屋などとして使用される部位には、各床部分３ａ，３ｂの左右方向Ｘ、前後方向Ｙ、および上下方向Ｚの３方向成分が合成された相対変位を許容し、かつ空隙２を塞いだ状態に維持するために、本実施の形態の床用伸縮継手装置１が設けられる。
【００２１】
床用伸縮継手装置１は、空隙２をあけて隣接する２つの床部分３ａ，３ｂの相互に対向する各対向壁部４ａ，４ｂに、平行かつ略水平に前後方向Ｙに延びてそれぞれ固定される支持体５ａ，５ｂと、一方の支持体５ａと平行に延び、一方の支持体５ａにおける前記他方の支持体５ｂ寄りの端部６ａに固定される取付補助材７と、他方の支持体５ｂと平行に延び、他方の支持体５ｂにおける前記一方の支持体５ａ寄りの端部６ｂに近接して対向壁部４ｂに固定される案内レール８と、両端部１０ａ，１０ｂ間の中央部１０ｃで複数のリンク部材９が交差するパンタグラフ状のリンク機構を構成し、一端部１０ａが前記取付補助材７に略鉛直な軸線Ｌ１まわりに回動自在に連結され、他端部１０ｂが前記案内レール８に前後方向Ｙに移動自在に支持される複数の中央維持手段１１と、両端部１２ａ，１２ｂが各支持体５ａ，５ｂに支持されかつ中央部１２ｃが各中央維持手段１１に連結される格子状構造体１３を有するカバー体１４と、カバー体１４および各中央維持手段１１に挿脱自在に装着され、カバー体１４と各中央維持手段１１とをピン結合する連結ピン１５とを含む。
【００２２】
前記カバー体１４には、前後方向Ｙに隣接する各中央維持手段１１間に、点検用開口部１６が前後方向Ｙに所定の間隔をあけて１または複数設けられ、この点検用開口部１６には蓋体１７が着脱可能に設けられる。
【００２３】
図４は中央維持手段１１の一端部１０ａ付近の拡大断面図である。前記一方の床部分３ａに設けられる支持体５ａの構成について述べる。この支持体５ａは、床部分３ａの対向壁部４ａの上隅に床面２１ａよりも下方に段差を成して形成される凹部２２ａに固定され、図４の紙面に垂直な前後方向Ｙに長手の組立構造体であって、床部分３ａの凹部２２ａに前後方向Ｙに間隔をあけて埋め込まれた複数のアンカー体２３，２４と、各アンカー体２３，２４によって凹部２２ａにそれぞれ固定される脚体２５ａ，２６ａと、各脚体２５ａ，２６ａに固定され、中空の形鋼から成るフレーム２７ａと、フレーム２７ａに固定される案内板２８ａとを有する。
【００２４】
前記案内板２８ａは、フレーム２７ａ上に複数のビス２９ａによって固定される略水平な支持部３０ａと、支持部３０ａの空隙２側の屈曲部分３１ａから下方（図４の下方）に直角に屈曲して連なる屈曲部３２ａと、支持部３０ａの床面２１ａ側の屈曲部分３３ａに連なり、屈曲部３２ａから離反するにつれて上方に向かって傾斜する案内部３４ａと、案内部３４ａの最も上方の屈曲部分３５ａに略水平に屈曲して連なる上面部３６ａと、上面部３６ａの前記案内部３４ａから離反する側の屈曲部分３７ａに下方に直角に屈曲して連なる見切り部３８ａとを有する。このような案内板２８ａの各屈曲部分３１ａ，３３ａ，３５ａ，３７ａは、相互に平行である。
【００２５】
前記フレーム２７ａには、前後方向Ｙに間隔をあけて設けられる棒状の複数の連結部材４０の一端部が溶接されて固定され、各連結部材４０の他端部には略Ｌ字状に屈曲した補助金具４１がそれぞれ溶接されて固定され、各補助金具４１は前記見切り部３８ａに溶接されて固定される。これらの連結部材４０および補助金具４１によって、前記案内部３４ａが上面部３６ａおよび見切り部３８ａとともにフレーム２７ａに支持され、カバー体１４の重量が案内部３４ａおよび上面部３６ａがたわんで変形してしまうことが防がれる。
【００２６】
前記取付補助材７は、空隙２側に配置される脚体２６ａの立上がり部にボルト７７およびナット７８によって、長尺の補強部材７９とともに固定される。この取付補助材７は、断面がＬ字状の鋼材から成る短尺材であって、補強部材７９の長手方向に間隔をあけて中央維持手段１１の一端部１０ａの取付位置毎に設けられる。前記補強部材７９は、断面がＬ字状の形鋼材から成る。
【００２７】
図５は図３の切断面線ＩＩＩ−ＩＩＩから見たカバー体１４の一部の拡大断面図である。前記カバー体１４は、格子状構造体１３と、後述の充填層４６と、複数の化粧タイル４７とを含む。前記格子状構造体１３は、カバー体１４が各支持体５ａ，５ｂ上に設置された状態では、前後方向Ｙとなる長辺方向（図５の左右方向）に等間隔をあけて配置される複数のリブ６０と、各リブ６０を前記長手方向に相互に連結し、各端板４９ａ，４９ｂ間で長手方向に直角な短辺方向に間隔をあけて設けられる複数本のロッド６１とが格子状に配置され、厚み方向（図５の上下方向）に複数の透孔６２を有する。各リブ６０および各ロッド６１は、鋼鉄製またはステンレス鋼製であり、相互に溶接されている。
【００２８】
図６は中央維持手段１１の他端部１０ｂ付近の拡大断面図である。前記他方の床部分３ｂに設けられる支持体５ｂの構成について述べる。この支持体５ｂは、床部分３ｂの対向壁部４ｂの上隅に床面２１ｂよりも下方に段差を成して形成される凹部２２ｂに固定され、図６の紙面に垂直な略水平な前後方向Ｙに長手の組立構造体であって、床部分３ｂの凹部２２ｂに前後方向Ｙに間隔をあけて埋め込まれた複数のアンカー体７０，７１，７２と、空隙２寄りのアンカー体７０によって凹部２２ｂに固定される脚体２５ｂと、脚体２５ｂおよびアンカー体７１，７２に固定され、中空の形鋼から成るフレーム２７ｂと、フレーム２７ｂに固定される案内板２８ｂとを有する。
【００２９】
前記案内板２８ｂは、フレーム２７ｂ上に複数のビス２９ｂによって固定される略水平な支持部３０ｂと、支持部３０ｂの空隙２側の屈曲部分３１ｂから下方（図６の下方）に直角に屈曲して連なる屈曲部３２ｂと、支持部３０ｂの床面２１ｂ側の屈曲部分３３ｂに連なり、屈曲部３２ｂから離反するにつれて上方に向かって傾斜する案内部３４ｂと、案内部３４ｂの最も上方の屈曲部分３５ｂに略水平に屈曲して連なる上面部３６ｂと、上面部３６ｂの前記案内部３４ｂから離反する側の屈曲部分３７ｂに下方に直角に屈曲して連なる見切り部３８ｂとを有する。このような案内板２８ｂの各屈曲部分３１ｂ，３３ｂ，３５ｂ，３７ｂは、相互に平行である。
【００３０】
各対向壁部４ａ，４ｂの凹部２２ａ，２２ｂの下方には、相互に対向して前後方向Ｙに延びる鉛直壁面６９ａ，６９ｂが形成される。他方の対向壁部４ｂの鉛直壁面６９ｂには、ブラケット７６がアンカー体７３によって固定され、このブラケット７６には前記案内レール８が固定される。この案内レール８には、中央維持手段１１の他端部１０ｂの上下に略鉛直な軸線Ｌ２まわりに回動自在に連結される一対の摺動部材７４，７５が前後方向Ｙに移動自在に嵌まり込んで支持される。
【００３１】
再び図５をも参照して、前記カバー体１４は、前述した格子状構造体１３と、格子状構造体１３の下面に接着剤によって貼り付けられ、たとえばテフロン（商品名）から成る緩衝用シート４５ａ，４５ｂと、格子状構造体１４にセメントモルタルなどの充填材を充填して硬化させた充填層４６と、充填層４６の上面に前後方向Ｙ（図５の左右方向）およびこの前後方向Ｙに水平面内で直交する左右方向Ｘ（図５の紙面に垂直な方向）に整列して固着される複数の化粧タイル４７と、断面が凹状とされ、前記格子状構造体１３を収容した状態で前記充填材が充填される壁体４８と、壁体４８の左右方向Ｘの両側の開口部を塞ぐ一対の端版４９ａ，４９ｂと、各端版４９ａ，４９ｂにボルト５０ａ，５０ｂおよびナット５１ａ，５１ｂによってそれぞれ固定され、前後方向Ｙに長手の見切りカバー材５２ａ，５２ｂと、各見切りカバー材５２ａ，５２ｂに溶接されて固定される左右各複数の取付片５３ａ，５３ｂと、各複数の取付片にそれぞれ設けられる左右各複数のボールキャスタ５４ａ，５４ｂとを有する。
【００３２】
各ボールキャスタ５４ａ，５４ｂは、各取付片５３ａ，５３ｂに固定されるボール受けホルダ５５ａ，５５ｂと、ボール受けホルダ５５ａ，５５ｂに回動自在に支持される球状のボール５６ａ，５６ｂとを有する。このようなボールキャスタ５４ａ，５４ｂは、ボール受けホルダ５５ａ，５５ｂの各案内部３４ａ，３４ｂへの接触を回避するために、ボール５６ａ，５６ｂの中心点を通る軸線Ｌ３，Ｌ４が鉛直面に対してそれぞれ外側へ所定の角度θａ，θｂだけ傾斜して設けられる。この所定の角度θａ，θｂは、ボールキャスタ５４ａ，５４ｂから取付片５３ａ，５３ｂへ過度に大きな曲げ荷重が作用することを防止するように、たとえば２５°〜３５°に選ばれる。
【００３３】
また、各ボールキャスタ５４ａ，５４ｂは、各ボール５６ａ，５６ｂの下端が、前記緩衝用シート４５ａ，４５ｂの支持部３０ａ，３０ｂに臨む表面を含む仮想一平面に接する程度に位置決めされ、支持部３０ａ，３０ｂから緩衝用シート４５ａ，４５ｂがむやみに大きな摺動抵抗を受けないようにして、カバー体１４を各支持体５ａ，５ｂに対して円滑に変位することができるように構成される。
【００３４】
図７はカバー体１４および中央維持手段１１の各中央部１０ｃ，１２ｃ付近の拡大断面図であり、図８は連結ピン１５付近を上方から見た平面図である。図３をも参照して、上記の中央維持手段１１の具体的構成について述べる。各中央維持手段１１は、Ｘ字状に交差して配置され、中央部に前記連結ピン１５が挿入される第１および第２リンク部材８０，８１と、第１および第２リンク部材８０，８１の一方の床部分３ａ側に配置される一端部にリンクピン８２，８３によって略鉛直な軸線まわりに回動自在に連結される第３および第４リンク部材８４，８５と、第１および第２リンク部材８０，８１の他方の床部分３ｂ側に配置される他端部にリンクピン８６，８７によって略鉛直な軸線まわりに回動自在に連結される第５および第６リンク部材８８，８９と、第３および第４リンク部材８４，８５の各他端部を上下に重ねた状態で略鉛直な軸線まわりに回動自在に連結するリンクピン９０と、第５および第６リンク部材８８，８９の各他端部を上下に重ねた状態で略鉛直な軸線まわりに回動自在に連結するリンクピン９１とを有する。
【００３５】
第１〜第６リンク部材８０，８１，８４，８５，８８，８９は、断面が凹状の形鋼材によって実現される。また、各リンクピン８２，８３，８６，８７，９０，９１は、ボルトおよびナットによって実現される。さらに、連結ピン１５は、上方からの装着作業を容易にし、また抜け落ちを防止するため、長さが２０〜３０ｃｍ程度の長尺のボルトが用いられる。
【００３６】
第１および第２リンク部材８０，８１の交差部上には、複数の中央維持手段１１間にわたって延びる長尺の通し部材９２が設けられる。第１および第２リンク部材８０，８１の交差部には、前記連結ピン１５の軸部９３が挿通する図示しない挿通孔がそれぞれ形成され、この挿通孔が形成される位置に一致するように、前記通し部材９２には通し部材９２の長手方向に延びる長孔９４が形成される。通し部材９２は、断面が凹状の形鋼材によって実現され、前記長孔９４が形成されるウエブ９６を下にし、一対のフランジ９７，９８を上に向けて配置される。
【００３７】
このような通し部材９２には、第１および第２リンク部材８０，８１の交差部上に配置される、たとえば３本のリブ６０が溶接されて固定される。連結ピン１５に関して前後方向Ｙ両側に配置される一対のリブ６０ａ，６０ｂは、各フランジ９７，９８上を通過して配置されるが、前後方向Ｙ中央に配置されるリブ６０ｃは、通し部材９２の長手方向に垂直な幅に相当する長さだけ分断され、相互に対向する端部１００，１０１には、両側のリブ６０ａ，６０ｂ間に嵌まり込む隔壁１０２，１０３が溶接されて固定される。こうして格子状構造体１３には、両側のリブ６０ａ，６０ｂと各隔壁１０２，１０３とによって外囲される作業空間１０５が形成される。このような作業空間１０５によって、連結ピン１５を格子状構造体１３を乗載した状態で容易に上方から長孔９４および各挿通孔（図示せず）内へ装着することができる。この装着状態では、連結ピン１５の頭部１０６がウエブ９６の前記長孔９４の周縁部によって支持され、抜け止めされる。
【００３８】
連結ピン１５を前記長孔９４および第１および第２リンク部材８０，８１の各挿通孔に装着するに際しては、まず中央維持手段１１の一端部１０ａを、リンクピン９０によって取付補助材７に連結し、中央維持手段１１の他端部１０ｂを、リンクピン９１によって案内レール８に装着された各摺動部材７４，７５に連結して、各中央時手段１１を前後方向Ｙに予め定める配置間隔で設置した後、各中央維持手段１１上におよび通し部材９２および格子状構造体１３を乗載する。このとき、第１および第２リンク部材８０，８１の各挿通孔に、格子状構造体１３の作業空間１０５内で、通し部材９２の長孔９４が連通するように、通し部材９２の長孔９４に対して第１および第２リンク部材８０，８１の各挿通孔がほぼ一致するように位置決めし、連結ピン１５を装着する。
【００３９】
通し部材９２には、断面が凹状の形鋼材から成り、通し部材９２の各フランジ９７，９８とほぼ同一高さの複数の取付片１０９が通し部材９２の長手方向に所定の間隔をあけて、ウエブを上方にした逆凹状の状態で嵌着され、溶接によって固定される。各取付片１０９には、予めボルト１１０が溶接されて固定される。各ボルト１１０は、各取付片１０９のウエブを軸部が貫通して突出し、頭部がウエブに溶接される。
【００４０】
カバー体１４の格子状構造体１３には、各取付片１０９の配置位置に対応して底蓋１１１が溶接されて固定されており、各取付片１０９には前記ボルト１１０の軸部を挿通することができる軸孔（図示せず）が形成される。各取付片１０９が取付けられた通し部材９２上には、複数の格子状構造体１３が所定の配置位置に整列して乗載され、各取付片１０９のウエブから上方に突出する各ボルト１１０の軸部を底蓋１１１の軸孔に挿通させ、ナット１１２を螺着して締付けることによって、各格子状構造体１３が通し部材９２に連結される。その後、セメントモルタルなどの充填材を充填し、化粧タイル４７を貼付け、充填材が硬化することによって、カバー体１４が中央維持手段１１と通し部材９２を介して連結される。
【００４１】
このようなカバー体１４の中央維持手段１１への設置作業において、連結ピン１５の装着作業は、格子状構造体１３の上で行うことができるので、中央維持手段１１の下へ手を挿入するなどして、裏からナットのねじ締め作業などの煩雑な作業を行う必要がなく、容易に高精度で、前記連結ピン１５によって中央維持手段１１と通し部材９２と格子状構造体１３とを連結することができる。
【００４２】
さらに、前記通し部材９２には長孔１０５が長手方向に延びて形成されるので、各長孔１０５の間隔に対する各中央維持手段１１の前後方向Ｙの取付位置のずれによる誤差を、前記連結ピン１５を装着した状態で許容し、かつ左右方向Ｘのカバー体１４の変位を中央維持手段１１に確実に伝達することができる。
【００４３】
以上のように本実施の形態によれば、カバー体１４の格子状構造体１３が上方から装着される連結ピン１５によって中央維持手段１１に連結されるので、各床部分３ａ，３ｂが近接および離反する左右方向Ｘの相対変位によって伸縮しても、カバー体１４を各床部分３ａ，３ｂ間の空隙２の中央に維持することができる。
【００４４】
また、中央維持手段１１の一端部１０ａは、一方の支持体５ａに設けられる取付補助材７に略鉛直な軸線Ｌ１まわりに回動自在に連結され、カバー体１４と中央維持手段１１とが上記の連結ピン１５によってピン結合され、さらに中央維持手段１１の他端部１０ｂが案内レール８に支持されるので、各床部分３ａ，３ｂが左右方向Ｘに垂直な前後方向Ｙに相対変位しても、中央維持手段１１はその両端部１０ａ，１０ｂが離反して伸長することができるとともに、両端部１０ａ，１０ｂが近接して縮小して伸縮動作することができ、各床部分３ａ，３ｂの前後方向Ｙの相対変位にカバー体１４を追従させて、その相対変位を許容することができる。
【００４５】
しかも、各床部分３ａ，３ｂの前後方向Ｙの相対変位が中央維持手段１１の許容し得る最大長さを超えても、中央維持手段１１の他端部１０ｂが前記案内レール８に沿って移動自在であるので、中央維持手段１１は最大長さまで伸長した状態で、あるいは最大長さと最小長さとの間の過渡的長さの状態で、前記他端部１０ｂが案内レール８に沿って自在に移動し、この自在な移動によって、カバー体１４を各床部分３ａ，３ｂ間の中央に維持して空隙２を塞いだままとし、一方の床部分３ａに対してそれ以上変位することができない状態にある他端部１０ｂに対して、案内レール８の変位を許容し、各床部分３ａ，３ｂの前後方向Ｙの相対変位を許容することができる。
【００４６】
さらに、上記複数のカバー体１４のうちで所定のカバー体１４（図２および図３を参照）には、点検用開口部１６が設けられ、この点検用開口部１６には蓋体１７が着脱可能に設けられるので、空隙２内のごみなど異物の除去および保守点検などを行うために、蓋体１７を点検用開口部１６から移動させて点検用開口部１６を開放し、空隙２内に外部であるカバー体１４上または床面２１ａ，２１ｂ上から容易に作業者の手および作業具などを挿入して、ごみの取り出し、部品の取り付けおよび取り外しなどの所定の作業を行うことができる。
【００４７】
【発明の効果】
請求項１記載の本発明によれば、中央維持手段の一端部は、一方の支持体に設けられる取付補助材に略鉛直な軸線まわりに回動自在に連結され、カバー体と中央維持手段とが連結ピンによってピン結合され、さらに中央維持手段の他端部が案内レールに支持されるので、各床部分が水平面上で前記左右方向に垂直な前後方向に相対変位しても、中央維持手段はその両端部が伸縮して各床部分の前後方向の相対変位に追従することができる。また、各床部分の前後方向の相対変位が中央維持手段の最大長さを超えても、中央維持装置の他端部が前記案内レールに沿って移動自在であるので、中央維持手段の他端部に対して案内レールは自在に移動することができ、各床部分の前後方向の相対変位を許容することができる。
【００４８】
また、中央維持手段には連結ピンによってカバー体が連結されるので、カバー体を各床部分間の中央に維持して空隙を塞ぎ、両端部が各支持体に支持されまま前後方向に移動して、カバー体の各支持体および各床部分などへの干渉による損傷を防ぎ、円滑に各床部分の前後方向の相対変位を許容することができる。
【００４９】
さらに、格子状構造体の軸孔、通し部材の長孔および各リンク部材の挿通孔が形成されるので、連結ピンの装着作業を格子状構造体の上から行うことができ、容易に高精度で、前記連結ピンによって中央維持手段と、通し部材と、格子状構造体とを連結することができ、施工性を向上することができる。また、通し部材に長孔が形成されるので、各中央維持手段の取付位置のずれによる誤差を、前記連結ピンを装着した状態で許容し、かつカバー体の変位を中央維持手段に確実に伝達することができる。
【００５０】
請求項２記載の本発明によれば、カバー体に点検用開口部が設けられ、この点検用開口部に着脱可能に蓋体が設けられるので、空隙内のごみなど異物の除去および保守点検などを行うために、蓋体を点検用開口部から移動させて点検用開口部を開放し、空隙内に外部から容易に作業者の手および作業具などを挿入して、ごみの取り出し、部品の取り付けおよび取り外しなどの所定の作業を行うことができる。
【図面の簡単な説明】
【図１】本発明の実施の一形態の床用伸縮継手装置１の中央維持手段１１が設けられる位置における構成を示す鉛直断面図であり、図３の切断面線Ｉ−Ｉから見た断面を示す。
【図２】図１に示される床用伸縮継手装置１の点検用開口部１６が設けられる位置における構成を示す鉛直断面図であり、図３の切断面線ＩＩ−ＩＩから見た断面を示す。
【図３】床用伸縮継手装置１を上方から見た一部を切欠いた平面図である。
【図４】中央維持手段１１の一端部１０ａ付近の拡大断面図である。
【図５】図３の切断面線ＩＩＩ−ＩＩＩから見たカバー体１４の一部の拡大断面図である。
【図６】中央維持手段１１の他端部１０ｂ付近の拡大断面図である。
【図７】カバー体１４および中央維持手段１１の各中央部１０ｃ，１２ｃ付近の拡大断面図である。
【図８】連結ピン１５付近を上方から見た平面図である。
【符号の説明】
１  床用伸縮継手装置
２  空隙
３ａ，３ｂ  床部分
４ａ，４ｂ  対向壁部
５ａ，５ｂ  支持体
６ａ，６ｂ  端部
７  取付補助材
８  案内レール
９  リンク部材
１０ａ，１０ｂ  中央維持手段１１の両端部
１１  中央維持手段
１２ａ，１２ｂ  カバー体１４の両端部
１３  格子状構造体
１４  カバー体
１５  連結ピン
１６  点検用開口部
１７  蓋体
２１ａ，２１ｂ  床面
２２ａ，２２ｂ  凹部
２７ａ，２７ｂ  フレーム
２８ａ，２８ｂ  案内板
３０ａ，３０ｂ  支持部
３４ａ，３４ｂ  案内部
５２ａ，５２ｂ  見切りカバー材
５３ａ，５３ｂ  取付片
５４ａ，５４ｂ  ボールキャスタ
【図１】
0003980384.tif 000002
【図２】
0003980384.tif 000003
【図３】
0003980384.tif 000004
【図４】
0003980384.tif 000005
【図５】
0003980384.tif 000006
【図６】
0003980384.tif 000007
【図７】
0003980384.tif 000008
【図８】
0003980384.tif 000009